【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】  ネットワークを介して外部装置、サーバ、及び入出力装置を含む複数のネットワーク機器が相互に接続されているアクセス制御システムにおいて、
前記サーバは、該サーバに接続要求があった場合に、照合・認証処理を行う認証処理部と、データ取得部により取得したプリンタ機器接続情報を記憶装置に保存するネットワーク機器情報管理部と、前記外部装置から、前記ネットワーク機器を使用する要求があった場合に、使用を許可する処理を行う機器使用許可ユーザ情報処理部と、前記ネットワーク機器毎に使用するユーザＩＤを管理する機器使用ユーザＩＤ管理部とを備え、
前記サーバは、前記ネットワーク上に存在するネットワーク機器を検索して登録し、該登録されたネットワーク機器に対して利用制限を行うための命令を発行すると共に、該サーバのＩＤを前記登録されたネットワーク機器に送信することにより、前記ネットワーク機器毎に使用するユーザＩＤの認証が合致しない場合、前記ネットワーク機器との通信を許可しないことを特徴とするアクセス制御システム。
【請求項２】  前記外部装置は、前記サーバ及びネットワーク機器と通信を行うためのＩＤを管理するユーザＩＤ管理部と、アプリケーションなどで作成したデータと前記ユーザＩＤ管理部により管理しているユーザＩＤ情報を送信するデータ送信部とを備え、
前記外部装置が前記ネットワーク機器を使用する場合、前記サーバに接続要求を出すためにユーザＩＤを送信し、前記認証処理部によりユーザＩＤの照合・認証を行って前記サーバと接続し、該サーバに対して使用したいネットワーク機器への接続を要求することにより、前記サーバは前記ユーザＩＤを取得して前記機器使用ユーザＩＤ管理部に該ユーザＩＤを登録することを特徴とする請求項１に記載のアクセス制御システム。
【請求項３】  前記ネットワーク機器は、前記外部装置から接続要求があった場合に前記ユーザＩＤの照合・認証処理を行う認証処理部と、前記サーバから当該ネットワーク機器の使用を許可されたユーザ情報を管理する機器使用許可ユーザ情報管理部とを備え、
前記ネットワーク機器が接続を制御するために、前記サーバにて使用を許可されたユーザ情報を取得する場合、前記サーバは当該ネットワーク機器と接続し、前記機器使用許可ユーザ情報管理部により管理しているネットワーク機器使用リストの情報を前記ネットワーク機器に送信して保存することにより、前記機器使用ユーザＩＤ管理部に該ユーザＩＤを登録した機器と通信を可能とすることを特徴とする請求項１又は２に記載のアクセス制御システム。
【請求項４】  前記外部装置と前記ネットワーク機器とを接続する際、前記外部装置から前記ネットワーク機器に対して接続要求のためのユーザＩＤを送信し、該ユーザＩＤを前記認証処理部により照合して認証された場合、前記ネットワーク機器との接続を許可してネットワーク機器としての処理を行うことを特徴とする請求項１又は２又は３に記載のアクセス制御システム。
【請求項５】  前記外部装置が前記サーバからネットワーク機器の情報を取得する際、前記外部装置が前記サーバに接続し、該サーバに対して前記ネットワーク機器の情報を取得する要求を出すことにより、前記サーバが前記ネットワーク機器と接続して認証された場合、前記サーバは前記ネットワーク機器から情報を取得して保存し、該保存情報を前記外部装置に送信することを特徴とする請求項１乃至４の何れか一項に記載のアクセス制御システム。
【請求項６】  ネットワークを介して外部装置、サーバ、及び入出力装置を含む複数のネットワーク機器が相互に接続されているアクセス制御システムのアクセス制御方法において、
前記サーバは、該サーバに接続要求があった場合に、照合・認証処理を行う認証処理ステップと、データ取得部により取得したプリンタ機器接続情報を記憶装置に保存するネットワーク機器情報管理ステップと、前記外部装置から、前記ネットワーク機器を使用する要求があった場合に、使用を許可する処理を行う機器使用許可ユーザ情報処理ステップと、前記ネットワーク機器毎に使用するユーザＩＤを管理する機器使用ユーザＩＤ管理ステップとを備え、
前記サーバは、前記ネットワーク上に存在するネットワーク機器を検索して登録し、該登録されたネットワーク機器に対して利用制限を行うための命令を発行すると共に、該サーバのＩＤを前記登録されたネットワーク機器に送信することにより、前記ネットワーク機器毎に使用するユーザＩＤの認証が合致しない場合、前記ネットワーク機器との通信を許可しないことを特徴とするアクセス制御方法。
【請求項７】  前記外部装置は、前記サーバ及びネットワーク機器と通信を行うためのＩＤを管理するユーザＩＤ管理ステップと、アプリケーションなどで作成したデータと前記ユーザＩＤ管理ステップにより管理しているユーザＩＤ情報を送信するデータ送信ステップとを備え、
前記外部装置が前記ネットワーク機器を使用する場合、前記サーバに接続要求を出すためにユーザＩＤを送信し、前記認証処理ステップによりユーザＩＤの照合・認証を行って前記サーバと接続し、該サーバに対して使用したいネットワーク機器への接続を要求することにより、前記サーバは前記ユーザＩＤを取得して前記機器使用ユーザＩＤ管理ステップに該ユーザＩＤを登録することを特徴とする請求項６に記載のアクセス制御方法。
【請求項８】  前記ネットワーク機器は、前記外部装置から接続要求があった場合に照合・認証処理を行う認証処理ステップと、前記ユーザＩＤ管理ステップで取得したサーバから、機器の使用を許可されたユーザの情報を管理する機器使用許可ユーザ情報管理ステップとを備え、
前記ネットワーク機器が接続を制御するために、前記サーバにて使用を許可されたユーザの情報を取得する場合、前記サーバは当該ネットワーク機器と接続し、前記機器使用許可ユーザ情報管理ステップにより管理しているネットワーク機器使用リストの情報を前記ネットワーク機器に送信して保存することにより、前記機器使用ユーザＩＤ管理ステップに該ユーザＩＤを登録した機器と通信を可能とすることを特徴とする請求項６又は７に記載のアクセス制御方法。
【請求項９】  前記外部装置と前記ネットワーク機器とを接続する際、前記外部装置から前記ネットワーク機器に対して接続要求のためのユーザＩＤを送信し、該ユーザＩＤを前記認証処理ステップにより照合して認証された場合、前記ネットワーク機器との接続を許可してネットワーク機器としての処理を行うことを特徴とする請求項６又は７又は８に記載のアクセス制御方法。
【請求項１０】  前記外部装置が前記サーバからネットワーク機器の情報を取得する際、前記外部装置が前記サーバに接続し、該サーバに対して前記ネットワーク機器の情報を取得する要求を出すことにより、前記サーバが前記ネットワーク機器と接続して認証された場合、前記サーバは前記ネットワーク機器から情報を取得して保存し、該保存情報を前記外部装置に送信することを特徴とする請求項６乃至９の何れか一項に記載のアクセス制御方法。
【請求項１１】  請求項６乃至１０の何れか一項に記載のアクセス制御方法をコンピュータが制御可能にプログラミングしたことを特徴とするアクセス制御プログラム。
【請求項１２】  請求項１１に記載のアクセス制御プログラムをコンピュータが読み取り可能な形式で記録したことを特徴とする記録媒体。
【手続補正２】
【補正対象書類名】明細書
【補正対象項目名】０００５
【補正方法】変更
【補正の内容】
【０００５】
【課題を解決するための手段】
本発明はかかる課題を解決するために、請求項１は、ネットワークを介して外部装置、サーバ、及び入出力装置を含む複数のネットワーク機器が相互に接続されているアクセス制御システムにおいて、前記サーバは、該サーバに接続要求があった場合に、照合・認証処理を行う認証処理部と、データ取得部により取得したプリンタ機器接続情報を記憶装置に保存するネットワーク機器情報管理部と、前記外部装置から、前記ネットワーク機器を使用する要求があった場合に、使用を許可する処理を行う機器使用許可ユーザ情報処理部と、前記ネットワーク機器毎に使用するユーザＩＤを管理する機器使用ユーザＩＤ管理部とを備え、前記サーバは、前記ネットワーク上に存在するネットワーク機器を検索して登録し、該登録されたネットワーク機器に対して利用制限を行うための命令を発行すると共に、該サーバのＩＤを前記登録されたネットワーク機器に送信することにより、前記ネットワーク機器毎に使用するユーザＩＤの認証が合致しない場合、前記ネットワーク機器との通信を許可しないことを特徴とする。
本発明のサーバは、接続要求があった場合に、要求している外部装置のユーザＩＤを照合して認証する認証処理部と、プリンタのネットワークアドレス、構成、状態等を表すプリンタ機器接続情報を記憶するネットワーク機器情報管理部と、外部装置がネットワーク機器を使用することを許可する機器使用許可ユーザ情報処理部と、ユーザＩＤを管理する機器使用ユーザＩＤ管理部とを備え、サーバはネットワーク上のネットワーク機器を検索してその情報を登録しておく。そしてこの登録されたネットワーク機器に対して利用制限を設けるために、ネットワーク機器毎に使用するユーザＩＤとサーバから送信したＩＤが合致した場合に限り、ネットワーク機器との通信を許可するものである。
かかる発明によれば、ネットワーク機器毎に使用するユーザＩＤとサーバから送信したＩＤが合致した場合に限り、ネットワーク機器との通信を許可するので、ネットワークへのアクセスが許可されていない者のネットワーク機器の不正使用を防止することができる。
【手続補正３】
【補正対象書類名】明細書
【補正対象項目名】０００６
【補正方法】変更
【補正の内容】
【０００６】
請求項２は、前記外部装置は、前記サーバ及びネットワーク機器と通信を行うためのＩＤを管理するユーザＩＤ管理部と、アプリケーションなどで作成したデータと前記ユーザＩＤ管理部により管理しているユーザＩＤ情報を送信するデータ送信部とを備え、前記外部装置が前記ネットワーク機器を使用する場合、前記サーバに接続要求を出すためにユーザＩＤを送信し、前記認証処理部によりユーザＩＤの照合・認証を行って前記サーバと接続し、該サーバに対して使用したいネットワーク機器への接続を要求することにより、前記サーバは前記ユーザＩＤを取得して前記機器使用ユーザＩＤ管理部に該ユーザＩＤを登録することを特徴とする。
また外部装置は、サーバとネットワーク機器と通信を行うためのＩＤを管理するユーザＩＤ管理部と、データと前記ユーザＩＤを送信するデータ送信部とを備えている。そして、外部装置がネットワーク上の機器をアクセスする場合、サーバに対してＩＤを送信し、そのＩＤを受信したサーバはＩＤが登録されていれば認証して外部装置とサーバを接続する。その後、使用したいネットワーク機器との接続をサーバに要求するために、機器使用ユーザＩＤ管理部にＩＤを登録する。
かかる発明によれば、外部装置とサーバを接続して、サーバ内の機器使用ユーザＩＤ管理部にＩＤを登録するので、登録した外部装置以外のクライアントからのネットワーク機器の使用を制限することができる。
【手続補正４】
【補正対象書類名】明細書
【補正対象項目名】０００７
【補正方法】変更
【補正の内容】
【０００７】
請求項３は、前記ネットワーク機器は、前記外部装置から接続要求があった場合に前記ユーザＩＤの照合・認証処理を行う認証処理部と、前記サーバから当該ネットワーク機器の使用を許可されたユーザの情報を管理する機器使用許可ユーザ情報管理部とを備え、前記ネットワーク機器が接続を制御するために、前記サーバにて使用を許可されたユーザの情報を取得する場合、前記サーバは当該ネットワーク機器と接続し、前記機器使用許可ユーザ情報管理部により管理しているネットワーク機器使用リストの情報を前記ネットワーク機器に送信して保存することにより、前記機器使用ユーザＩＤ管理部に該ユーザＩＤを登録した機器と通信を可能とすることを特徴とする。
またネットワーク機器は、外部装置から接続要求があった場合に、ユーザＩＤとの照合と認証を行う認証処理部と、サーバが使用許可したユーザの情報を管理する機器使用許可ユーザ情報管理部とを備える。そしてネットワーク機器がこの使用許可されたユーザ情報を得るために、サーバと接続してそのサーバから機器使用リストの情報を保存する。これにより、機器使用リストのユーザと機器使用ユーザＩＤ管理部に登録した機器との通信が可能となる。
かかる発明によれば、サーバに登録したユーザＩＤと機器使用リストのユーザが一致した場合に限り通信を可能とするので、不正なユーザがネットワーク機器を使用することを防ぐことができる。
【手続補正５】
【補正対象書類名】明細書
【補正対象項目名】０００８
【補正方法】変更
【補正の内容】
【０００８】
請求項４は、前記外部装置と前記ネットワーク機器とを接続する際、前記外部装置から前記ネットワーク機器に対して接続要求のためのユーザＩＤを送信し、該ユーザＩＤを前記認証処理部により照合して認証された場合、前記ネットワーク機器との接続を許可してネットワーク機器としての処理を行うことを特徴とする。
サーバにより認証された外部装置は、次にネットワーク機器、例えば、プリンタと接続して印刷データを印刷する場合、外部装置からプリンタに対してユーザＩＤを送信し、そのＩＤをプリンタの認証処理部により照合する。照合の結果認証されるとはじめて外部装置からデータを送って印刷を開始することができる。
かかる発明によれば、サーバに認証された外部装置は、更にネット和アーク機器により認証されなければ接続できないので、２重のセキュリティ管理がなされ、不正なクライアントからのアクセスを防止することができる。
請求項５は、前記外部装置が前記サーバからネットワーク機器の情報を取得する際、前記外部装置が前記サーバに接続し、該サーバに対して前記ネットワーク機器の情報を取得する要求を出すことにより、前記サーバが前記ネットワーク機器と接続して認証された場合、前記サーバは前記ネットワーク機器から情報を取得して保存し、該保存情報を前記外部装置に送信することを特徴とする。
外部装置がネットワーク機器の情報を取得するためには、まず外部装置はサーバと接続して、このサーバに対して情報の要求を行う。それにより、サーバはネットワーク機器と接続して認証されてはじめてネットワーク機器の情報を取得することができる。そして外部装置はサーバに保存されたネットワーク機器の情報を送信してもらい取得する。
かかる発明によれば、外部装置がネットワーク機器の情報を得るためには、サーバを介して認証されて得なければならないので、不正な外部装置が直接ナットワーク機器から情報を得ることを防止できる。
【手続補正６】
【補正対象書類名】明細書
【補正対象項目名】０００９
【補正方法】変更
【補正の内容】
【０００９】
請求項６は、ネットワークを介して外部装置、サーバ、及び入出力装置を含む複数のネットワーク機器が相互に接続されているアクセス制御システムのアクセス制御方法において、前記サーバは、該サーバに接続要求があった場合に、照合・認証処理を行う認証処理ステップと、データ取得部により取得したプリンタ機器接続情報を記憶装置に保存するネットワーク機器情報管理ステップと、前記外部装置から、前記ネットワーク機器を使用する要求があった場合に、使用を許可する処理を行う機器使用許可ユーザ情報処理ステップと、前記ネットワーク機器毎に使用するユーザＩＤを管理する機器使用ユーザＩＤ管理ステップとを備え、前記サーバは、前記ネットワーク上に存在するネットワーク機器を検索して登録し、該登録されたネットワーク機器に対して利用制限を行うための命令を発行すると共に、該サーバのＩＤを前記登録されたネットワーク機器に送信することにより、前記ネットワーク機器毎に使用するユーザＩＤの認証が合致しない場合、前記ネットワーク機器との通信を許可しないことを特徴とする。
かかる発明によれば、請求項１と同様の作用効果を奏する。
請求項７は、前記外部装置は、前記サーバ及びネットワーク機器と通信を行うためのＩＤを管理するユーザＩＤ管理ステップと、アプリケーションなどで作成したデータと前記ユーザＩＤ管理ステップにより管理しているユーザＩＤ情報を送信するデータ送信ステップとを備え、前記外部装置が前記ネットワーク機器を使用する場合、前記サーバに接続要求を出すためにユーザＩＤを送信し、前記認証処理ステップによりユーザＩＤの照合・認証を行って前記サーバと接続し、該サーバに対して使用したいネットワーク機器への接続を要求することにより、前記サーバは前記ユーザＩＤを取得して前記機器使用ユーザＩＤ管理ステップに該ユーザＩＤを登録することを特徴とする。
かかる発明によれば、請求項２と同様の作用効果を奏する。
【手続補正７】
【補正対象書類名】明細書
【補正対象項目名】００１０
【補正方法】変更
【補正の内容】
【００１０】
請求項８は、前記ネットワーク機器は、前記外部装置から接続要求があった場合に照合・認証処理を行う認証処理ステップと、前記ユーザＩＤ管理ステップで取得したサーバから、機器の使用を許可されたユーザの情報を管理する機器使用許可ユーザ情報管理ステップとを備え、前記ネットワーク機器が接続を制御するために、前記サーバにて使用を許可されたユーザの情報を取得する場合、前記サーバは当該ネットワーク機器と接続し、前記機器使用許可ユーザ情報管理ステップにより管理しているネットワーク機器使用リストの情報を前記ネットワーク機器に送信して保存することにより、前記機器使用ユーザＩＤ管理ステップに該ユーザＩＤを登録した機器と通信を可能とすることを特徴とする。
かかる発明によれば、請求項３と同様の作用効果を奏する。
請求項９は、前記外部装置と前記ネットワーク機器とを接続する際、前記外部装置から前記ネットワーク機器に対して接続要求のためのユーザＩＤを送信し、該ユーザＩＤを前記認証処理ステップにより照合して認証された場合、前記前記ネットワーク機器との接続を許可してネットワーク機器としての処理を行うことを特徴とする。
かかる発明によれば、請求項４と同様の作用効果を奏する。
【手続補正８】
【補正対象書類名】明細書
【補正対象項目名】００１１
【補正方法】変更
【補正の内容】
【００１１】
請求項１０は、前記外部装置が前記サーバからネットワーク機器の情報を取得する際、前記外部装置が前記サーバに接続し、該サーバに対して前記ネットワーク機器の情報を取得する要求を出すことにより、前記サーバが前記ネットワーク機器と接続して認証された場合、前記サーバは前記ネットワーク機器から情報を取得して保存し、該保存情報を前記外部装置に送信することを特徴とする。
かかる発明によれば、請求項５と同様の作用効果を奏する。
請求項１１は、請求項６乃至１０の何れか一項に記載のアクセス制御方法をコンピュータが制御可能にプログラミングしたことを特徴とするアクセス制御プログラム。
かかる発明によれば、本発明のアクセス制御方法をコンピュータが制御可能なＯＳに従ってプログラミングすることにより、そのＯＳを備えたコンピュータであれば同じアクセス制御方法により制御することができる。
請求項１２は、請求項１１に記載のアクセス制御プログラムをコンピュータが読み取り可能な形式で記録したことを特徴とする記録媒体。
かかる発明によれば、そのプログラムをコンピュータが読み取り可能な形式で記録媒体に記録することにより、この記録媒体を持ち運ぶことにより何処でもプログラムを稼動することができる。